(57)【特許請求の範囲】
【請求項１】
環境条件を検出する環境条件検出部と、
情報を出力する出力部と、
筐体が握られたことを検知するグリップセンサを備え、
前記環境条件検出部が検出する環境条件に基づいてユーザが外出するか否かを判定し、
判定した結果に基づいて、外出する際に必要な情報を前記出力部から出力させる制御部と、
を備え、
前記制御部は、前記グリップセンサが握られたことを検知した場合に、前記外出する際に必要な情報を前記出力部から出力させる電子装置。
【請求項２】
前記環境条件検出部は、周囲の照度を検出する照度センサであり、
前記制御部は、前記照度センサが検出する照度が所定の時間内に所定の閾値以上低下した場合に、外出する際に必要な情報を前記出力部から出力させる
請求項１に記載の電子装置。
【請求項３】
前記環境条件検出部は、加速度を検出する加速度センサであり、
前記制御部は、前記加速度センサが検出する加速度に変動がある場合に、外出する際に必要な情報を前記出力部から出力させる
請求項１または２に記載の電子装置。
【請求項４】
スマートキーの近接を検出する検出部を備え、
前記制御部は、前記検出部がスマートキーの近接を検出した場合に、外出する際に必要な情報を前記出力部から出力させる
請求項１から３いずれか１項に記載の電子装置。
【請求項５】
家電製品の電源がオンの状態から電源がオフの状態への変化を取得する取得部を備え、
前記制御部は、前記取得部が家電製品の上記電源がオンの状態から電源がオフの状態への変化を取得した場合に、外出する際に必要な情報を前記出力部から出力させる
請求項１から４いずれか１項に記載の電子装置。
【請求項６】
音声を入力する音声入力部と、
前記音声入力部が入力した音声を認識する音声認識部と、
を備え、
前記制御部は、前記音声認識部が外出を想起させる言葉を認識した場合に、外出する際に必要な情報を前記出力部から出力させる
請求項１から５いずれか１項に記載の電子装置。
【請求項７】
環境条件を検出する環境条件検出部と、情報を出力する出力部と、筐体が握られたことを検知するグリップセンサとを備える電子装置のコンピュータに、
環境条件を検出する第１ステップと、
検出した環境条件に基づいて、ユーザが外出するか否かを判定する第２ステップと、
判定した結果に基づいて、外出する際に必要な情報を前記出力部から出力させる第３ステップと、
前記グリップセンサが握られたことを検知した場合に、前記外出する際に必要な情報を前記出力部から出力させる第４ステップと、
を実行させるためのプログラム。
【発明の詳細な説明】
【技術分野】
【０００１】
本発明のいくつかの態様は、電子装置及びプログラムに関する。
本願は、２０１６年６月８日に、日本に出願された特願２０１６−１１４６９５号に基づき優先権を主張し、その内容をここに援用する。
【背景技術】
【０００２】
特許文献１には、姿見として玄関に設置された端末が、人感センサによりユーザが外出することを検出すると、その時の状況に応じた情報をユーザに提示する技術が記載されている。
【先行技術文献】
【特許文献】
【０００３】
【特許文献１】特開２０１５―７０４７０号公報
【発明の概要】
【発明が解決しようとする課題】
【０００４】
しかしながら、特許文献１に記載の技術では、窓の開閉状態や外出に必要な持ち物など、外出に必要な情報を玄関でユーザに提示するため、ユーザはそれに対応するために玄関から部屋に戻らなければならず、余計な移動が発生してしまう可能性がある、という問題がある。【０００５】
本発明のいくつかの態様は上記の点に鑑みてなされたものであり、外出する際に必要な情報を、ユーザが玄関に行く前にユーザに提示することができる電子装置及びプログラムを提供することを課題とする。
【課題を解決するための手段】
【０００６】
本発明のいくつかの態様は上記の課題を解決するためになされたものであり、本発明の第１の態様は、環境条件を検出する環境条件検出部と、情報を出力する出力部と、前記環境条件検出部が検出する環境条件に基づいてユーザが外出するか否かを判定し、判定した結果に基づいて、外出する際に必要な情報を前記出力部から出力させる制御部と、を備える電子装置である。【０００７】
また、本発明の第２の態様は、環境条件を検出する環境条件検出部と、情報を出力する出力部とを備える電子装置のコンピュータに、環境条件を検出する環境条件検出ステップと、検出した環境条件に基づいて、ユーザが外出するか否かを判定する判定ステップと、判定した結果に基づいて、外出する際に必要な情報を前記出力部から出力させる出力ステップと、を実行させるためのプログラムである。
【発明の効果】
【０００８】
本発明のいくつかの態様によれば、外出する際に必要な情報を、ユーザが玄関に行く前にユーザに提示することができる。
【図面の簡単な説明】
【０００９】
【図１】本発明の第１の実施形態に係る電子装置の外観構成を示す正面図である。
【図２】第１の実施形態に係る電子装置の機能構成を示すブロック図である。
【図３】第１の実施形態に係る電子装置における通知方法を説明するための概略図である。
【図４】第１の実施形態に係る電子装置の通知処理の一例を示すフローチャートである。
【図５】本発明の第２の実施形態に係る電子装置における通知方法を説明するための概略図である。
【図６】第２の実施形態に係る電子装置の通知処理の一例を示すフローチャートである。
【図７】本発明の第３の実施形態に係る電子装置における通知方法を説明するための概略図である。
【図８】第３の実施形態に係る電子装置の通知処理の一例を示すフローチャートである。
【図９】第３の実施形態に係る電子装置の通知処理の一例を示すフローチャートである。
【図１０】本発明の第４の実施形態に係る電子装置における通知方法を説明するための概略図である。
【図１１】第４の実施形態に係る電子装置の通知処理の一例を示すフローチャートである。
【図１２】第４の実施形態に係る電子装置の通知処理の一例を示すフローチャートである。
【図１３】本発明の第５の実施形態に係る電子装置における通知方法を説明するための概略図である。
【図１４】第５の実施形態に係る電子装置の通知処理の一例を示すフローチャートである。
【図１５】第５の実施形態に係る電子装置の通知処理の一例を示すフローチャートである。
【図１６】第５の実施形態に係る電子装置の通知処理の一例を示すフローチャートである。
【図１７】第５の実施形態に係る電子装置の通知処理の一例を示すフローチャートである。
【図１８】本発明の第６の実施形態に係る電子装置における通知方法を説明するための概略図である。
【図１９】第６の実施形態に係る電子装置の通知処理の一例を示すフローチャートである。
【発明を実施するための形態】
【００１０】
以下、図面を参照しながら本発明の実施形態について詳しく説明する。
（第１の実施形態）
まず、本発明の第１の実施形態について説明する。
図１は、第１の実施形態に係る電子装置１００の外観構成を示す正面図である。
電子装置１００は、例えば、スマートフォンやタブレット端末などの電子機器である。
電子装置１００は、カメラ１０２と、照度センサ１０３と、表示部１０６と、を備える。
【００１１】
カメラ１０２は、被写体を撮像する撮像部である。照度センサ１０３は、周囲の照度を検出するセンサである。表示部１０６は、ＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイなどの表示装置である。
【００１２】
図２は、第１の実施形態に係る電子装置１００の機能構成を示すブロック図である。
電子装置１００は、制御部１０１と、カメラ１０２と、照度センサ１０３と、無線通信部１０４と、入力部１０５と、表示部１０６と、記憶部１０７と、音声出力部１０８と、加速度センサ１０９と、近距離無線通信部１１０と、音声入力部１１１と、グリップセンサ１１２と、を備える。
【００１３】
制御部１０１は、ＣＰＵ（Ｃｅｎｔｒａｌ  Ｐｒｏｃｅｓｓｉｎｇ  Ｕｎｉｔ）を備え、電子装置１００を統括して制御する。例えば、制御部１０１は、照度センサ１０３が検出する照度に基づいて、外出する際に必要な情報を出力する。具体的には、制御部１０１は、照度センサ１０３の検出する照度が急激に低下した場合に、外出する際に必要な情報を出力する。例えば、制御部１０１は、照度が所定の時間内に所定の閾値以上低下した場合に、照度が急激に低下したと判定する。また、制御部１０１は、外出する際に必要な情報を音声出力部１０８から音声出力する。外出する際に必要な情報を音声出力により語り掛けることにより、ユーザが電子装置１００を見ることなく、外出する際に必要な情報の提供を受けることができる。或いは、制御部１０１は、外出する際に必要な情報を表示部１０６に表示してもよい。或いは、制御部１０１は、外出する際に必要な情報を他の端末に表示させてもよい。例えば、制御部１０１は、スマートホームなどに代表されるような表示システム（タブレット端末や、壁掛けモニタや、テレビジョンなど）に外出する際に必要な情報を表示する。具体的には、制御部１０１は、ユーザが外出することを示すデータと外出する際に必要な情報とを他の端末に無線通信部１０４から送信する。音声出力部１０８、表示部１０６、または無線通信部１０４が、情報を出力する出力部を構成する。
【００１４】
無線通信部１０４は、無線ＬＡＮ（Ｌｏｃａｌ  Ａｒｅａ  Ｎｅｔｗｏｒｋ；ローカルエリアネットワーク）やモバイル通信などにより他の通信装置と無線通信する。入力部１０５は、各種ボタンや表示部１０６の表示画面に設置されたタッチパネルから構成され、入力を受け付ける。記憶部１０７は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）を備え、種々の情報を記憶する。音声出力部１０８は、音声を出力するスピーカである。
【００１５】
加速度センサ１０９は、直交する３軸それぞれの加速度を検出する３軸加速度センサである。近距離無線通信部１１０は、ブルートゥース（Ｂｌｕｅｔｏｏｔｈ（登録商標））などの近距離無線通信により他の通信装置と無線通信する。
【００１６】
音声入力部１１１は、音声を入力するマイクである。グリップセンサ１１２は、電子装置１００の筐体に設置される静電センサ、近接センサ、赤外線センサ、或は、超音波センサなどであり、電子装置１００の筐体が手で握られたことを検知する。
【００１７】
次に、本実施形態による電子装置１００による通知方法について説明する。
図３は、第１の実施形態に係る電子装置１００における通知方法を説明するための概略図である。電子装置１００は、ユーザが外出するときに、外出する際に必要な情報をユーザに通知する。本実施形態では、電子装置１００は、部屋の照明が消されて、部屋が暗くなった場合、ユーザが外出する（或いは、外出する可能性がある）と推定されるので、外出する際に必要な情報をユーザに通知する。例えば、電子装置１００の制御部１０１は、照度センサ１０３が検出する周囲の照度が急激に低下した場合に、部屋の照明が消されたと判定する。そのため、制御部１０１は、照度センサ１０３が検出する周囲の照度が急激に低下した場合に、音声出力部１０８からメッセージ「おでかけですか？窓の閉め忘れに注意ですよ。」を音声出力して、外出する際に必要な情報をユーザに通知する。ここで、照度センサ１０３が、環境条件（照度）を検出する環境条件検出部を構成する。
【００１８】
図４は、第１の実施形態に係る電子装置１００の通知処理の一例を示すフローチャートである。
（ステップＳ１０１）制御部１０１は、照度センサ１０３による周囲の照度の検出を開始する。その後、ステップＳ１０２の処理に進む。
（ステップＳ１０２）制御部１０１は、照度センサ１０３の検出する照度の値が急激に低下したか否かを判定する。例えば、制御部１０１は、照度センサ１０３が前回検出した照度に対して、照度センサ１０３が今回検出した照度が所定値以上小さい場合に、照度が急激に低下したと判定する。照度が急激に低下したと制御部１０１が判定した場合には、ステップＳ１０５の処理に進む。また、照度が急激に低下していないと制御部１０１が判定した場合には、ステップＳ１０３の処理に進む。
【００１９】
（ステップＳ１０３）制御部１０１は、照度センサ１０３による照度の検出を停止する。その後、ステップＳ１０４の処理に進む。
（ステップＳ１０４）制御部１０１は、一定時間待機する。その後、ステップＳ１０１の処理に戻る。
【００２０】
（ステップＳ１０５）制御部１０１は、外出する際に必要な情報をユーザに通知する。
その後、処理を終了する。
【００２１】
このように、本実施形態によれば、電子装置１００は、周囲の照度を検出する照度センサ１０３と、照度センサ１０３が検出する照度に基づいて、外出する際に必要な情報を音声出力部１０８から出力させる制御部１０１と、を備える。制御部１０１は、照度センサ１０３が検出する照度が急激に低下した場合に、外出する際に必要な情報を音声出力部１０８から出力させる。
【００２２】
すなわち、電子装置１００は、ユーザにより照明が消されて部屋が暗くなり、周囲の照度が急激に低下した場合に、外出する際に必要な情報を出力する。よって、電子装置１００は、外出する際に必要な情報を、ユーザが玄関に行く前にユーザに提示することができるため、ユーザの余計な移動が発生する可能性を低減することができる。
【００２３】
なお、制御部１０１は、照度センサ１０３が検出する照度に基づいて、ユーザが外出するか否かを判定してもよい。例えば、制御部１０１は、照度センサ１０３が検出する照度が急激に低下した場合に、ユーザが外出する（或いは、ユーザが外出する可能性がある）と判定し、当該判定結果に基づいて、ユーザが外出する際に必要な情報を音声出力部１０８から出力させてもよい。
【００２４】
（第２の実施形態）
次に、本発明の第２の実施形態について説明する。
本実施形態における電子装置１００の構成は、第１の実施形態における構成と同様であるため、その説明を省略する。
【００２５】
図５は、第２の実施形態に係る電子装置１００における通知方法を説明するための概略図である。本実施形態における電子装置１００は、ユーザが鞄の中に電子装置１００を入れた場合に、ユーザが外出する（或いは、外出する可能性がある）と推定されるので、外出する際に必要な情報をユーザに通知する。例えば、電子装置１００が動かされた場合には、加速度センサ１０９が検出する加速度に変動がある。また、電子装置１００が鞄の中に入れられると、照度センサ１０３が検出する照度が急激に低下する。このため、制御部１０１は、加速度センサ１０９が検出する加速度に変動があり、かつ、照度センサ１０３が検出する照度が急激に低下した場合に、電子装置１００がユーザによって動かされ、鞄の中に入れられたと判定する。すなわち、制御部１０１は、加速度センサ１０９が検出する加速度に変動があり、かつ、照度センサ１０３が検出する照度が急激に低下した場合に、外出する際に必要な情報をユーザに通知する。ここで、照度センサ１０３及び加速度センサ１０９が、環境条件（照度または加速度）を検出する環境条件検出部を構成する。
【００２６】
図６は、第２の実施形態に係る電子装置１００の通知処理の一例を示すフローチャートである。ステップＳ２０１からステップＳ２０４までの処理は、上述したステップＳ１０１からステップＳ１０４までの処理と同様であるため、その説明を省略する。
【００２７】
（ステップＳ２０５）制御部１０１は、変数ｉに１を代入する。その後、ステップＳ２０６の処理に進む。
（ステップＳ２０６）制御部１０１は、ｉがｎであるか否かを判定する。ｎは任意の正の整数である。ｉがｎであると制御部１０１が判定した場合には、ステップＳ２０３の処理に戻る。また、ｉがｎでないと制御部１０１が判定した場合には、ステップＳ２０７の処理に進む。すなわち、制御部１０１は、ｉがｎになるまでステップＳ２０７からステップＳ２０８までの処理を繰り返す。
【００２８】
（ステップＳ２０７）制御部１０１は、加速度センサ１０９が検出する加速度の値に変動があるか否かを判定する。加速度に変動があると制御部１０１が判定した場合には、ステップＳ２０９の処理に進む。また、加速度に変動がないと制御部１０１が判定した場合には、ステップＳ２０８の処理に進む。
（ステップＳ２０８）制御部１０１は、ｉに１を加算する。その後、ステップＳ２０６の処理に戻る。
【００２９】
（ステップＳ２０９）制御部１０１は、外出する際に必要な情報をユーザに通知する。
その後、処理を終了する。
【００３０】
なお、本図に示すフローチャートでは、電子装置１００は、照度の急激な変化を検出した後に、加速度の変動を検出しているが、これに限らず、加速度の変動を検出した後に、照度の急激な変化を検出するように、検出する順序を入れ替えてもよい。
【００３１】
ユーザが電子装置１００を鞄の中に入れてから外出する場合には、照度の低下と加速度の変動とはほぼ同時に発生するが、ユーザが照明を消した後に電子装置１００を持って外出する場合には、照度の低下から数秒後に加速度が変動する。このため、電子装置１００は、ステップＳ２０７〜ステップＳ２０８の処理をｎ回ループさせている。例えば、電子装置１００は、ｉは秒数でｎが１０である場合には、照明が消されてから１秒毎に加速度の変動を確認し、１０秒以内に加速度センサの変動があれば、「外出する」と推定して、外出する際に必要な情報を通知する。これにより、電子装置１００は、ユーザが照明を消した後に電子装置１００を持って外出する場合であっても、外出する際に必要な情報をユーザに通知することができる。
【００３２】
このように、本実施形態によれば、電子装置１００の制御部１０１は、加速度センサ１０９が検出する加速度に変動があり、かつ、照度センサ１０３が検出する照度が急激に低下した場合に、外出する際に必要な情報を音声出力部１０８から出力させる。これにより、電子装置１００は、ユーザが電子装置１００を鞄の中に入れた場合に、外出する際に必要な情報を出力する。よって、電子装置１００は、外出する際に必要な情報を、ユーザが玄関に行く前にユーザに提示することができるため、ユーザの余計な移動が発生する可能性を低減することができる。
【００３３】
なお、制御部１０１は、加速度センサ１０９が検出する加速度に変動があり、かつ、照度センサ１０３が検出する照度が急激に低下した場合に、ユーザが外出する（或いは、ユーザが外出する可能性がある）と判定してもよい。そして、制御部１０１は、当該判定結果に基づいて、ユーザが外出する際に必要な情報を音声出力部１０８から出力させてもよい。
【００３４】
（第３の実施形態）
次に、本発明の第３の実施形態について説明する。
本実施形態における電子装置１００の構成は、第１の実施形態における構成と同様であるため、その説明を省略する。
【００３５】
図７は、第３の実施形態に係る電子装置１００における通知方法を説明するための概略図である。本実施形態における電子装置１００は、電子装置１００が鞄の中に入れられて、予め鞄の中にあるスマートキー２００が近接した場合に、ユーザが外出する（或いは、外出する可能性がある）と推定されるので、外出する際に必要な情報をユーザに通知する。スマートキー２００は、ブルートゥース（登録商標）などの近距離無線通信機能を備える家の鍵であり、電子装置１００と近距離無線通信により接続可能である。近距離無線通信部１１０は、近距離無線通信によりスマートキー２００と接続して、スマートキー２００の近接を検出する検出部を構成する。電子装置１００の制御部１０１は、近距離無線通信部１１０が近距離無線通信によりスマートキー２００と接続した場合に、スマートキー２００が近接したと判定する。制御部１０１は、近距離無線通信部１１０がスマートキー２００の近接を検出し、かつ、照度センサ１０３が検出する照度が急激に低下した場合に、外出する際に必要な情報をユーザに通知する。なお、本例では、スマートキー２００の検知距離は１０ｃｍ〜５０ｃｍ程度を想定する。ここで、照度センサ１０３及び近距離無線通信部１１０が、環境条件（照度またはスマートキー２００の近接）を検出する環境条件検出部を構成する。
【００３６】
図８は、第３の実施形態に係る電子装置１００の通知処理の一例を示すフローチャートである。ステップＳ３０１からステップＳ３０４までの処理は、上述したステップＳ１０１からステップＳ１０４までの処理と同様であるため、その説明を省略する。
【００３７】
（ステップＳ３０５）制御部１０１は、変数ｉに１を代入する。その後、ステップＳ３０６の処理に進む。
（ステップＳ３０６）制御部１０１は、ｉがｎであるか否かを判定する。ｎは任意の正の整数である。ｉがｎであると制御部１０１が判定した場合には、ステップＳ３０３の処理に戻る。また、ｉがｎでないと制御部１０１が判定した場合には、ステップＳ３０７の処理に進む。すなわち、制御部１０１は、ｉがｎになるまでステップＳ３０７からステップＳ３０８までの処理を繰り返す。
【００３８】
（ステップＳ３０７）制御部１０１は、スマートキー２００が近くにあるか否かを判定する。スマートキー２００が近くにあると制御部１０１が判定した場合には、ステップＳ３０９の処理に進む。また、スマートキー２００が近くにないと制御部１０１が判定した場合には、ステップＳ３０８の処理に進む。
（ステップＳ３０８）制御部１０１は、ｉに１を加算する。その後、ステップＳ３０６の処理に戻る。
【００３９】
（ステップＳ３０９）制御部１０１は、外出する際に必要な情報をユーザに通知する。
その後、処理を終了する。
【００４０】
なお、本図に示すフローチャートでは、電子装置１００は、照度の急激な変化を検出した後に、スマートキー２００の近接を検出しているが、これに限らず、スマートキー２００の近接を検出した後に、照度の急激な変化を検出するように、検出する順序を入れ替えてもよい。
【００４１】
また、本実施形態では、近距離無線通信部１１０が近距離無線通信によりスマートキー２００と接続して、スマートキー２００の近接を検出しているが、これに限らず、他の方法によりスマートキー２００の近接を検出してもよい。
【００４２】
また、電子装置１００は、ステップＳ３０７からステップＳ３０８までの処理をｎ回ループさせているため、予めスマートキー２００が鞄に入っている場合に限らず、ユーザが電子装置１００を鞄に入れてからスマートキー２００を鞄に入れて外出する場合であっても、外出する際に必要な情報をユーザに通知することができる。また、電子装置１００は、ユーザが電子装置１００をポケットに入れてからスマートキー２００を手に持って外出する場合であっても、外出する際に必要な情報をユーザに通知することができる。
【００４３】
また、本実施形態では、制御部１０１は、近距離無線通信部１１０がスマートキー２００の近接を検出し、かつ、照度センサ１０３が検出する照度が急激に低下した場合に、外出する際に必要な情報をユーザに通知しているが、近距離無線通信部１１０がスマートキー２００の近接を検出し、かつ、加速度センサ１０９が検出する加速度に変動があった場合に、外出する際に必要な情報をユーザに通知してもよい。ここで、加速度センサ１０９及び近距離無線通信部１１０が、環境条件（加速度またはスマートキー２００の近接）を検出する環境条件検出部を構成する。
【００４４】
図９は、第３の実施形態に係る電子装置１００の通知処理の一例を示すフローチャートである。本図には、スマートキー２００の近接を検出し、かつ、加速度に変動があったときに、外出する際に必要な情報をユーザに通知する場合の処理を示す。
【００４５】
（ステップＳ３１１）制御部１０１は、スマートキー２００の接近を検知する。その後、ステップＳ３１２の処理に進む。
（ステップＳ３１２）制御部１０１は、変数ｉに１を代入する。その後、ステップＳ３１３の処理に進む。
（ステップＳ３１３）制御部１０１は、ｉがｎであるか否かを判定する。ｎは任意の正の整数である。ｉがｎであると制御部１０１が判定した場合には、処理を終了する。また、ｉがｎでないと制御部１０１が判定した場合には、ステップＳ３１４の処理に進む。すなわち、制御部１０１は、ｉがｎになるまでステップＳ３１４からステップＳ３１５までの処理を繰り返す。
【００４６】
（ステップＳ３１４）制御部１０１は、加速度センサ１０９が検出する加速度の値に変動があるか否かを判定する。加速度に変動があると制御部１０１が判定した場合には、ステップＳ３１６の処理に進む。また、加速度に変動がないと制御部１０１が判定した場合には、ステップＳ３１５の処理に進む。
（ステップＳ３１５）制御部１０１は、ｉに１を加算する。その後、ステップＳ３１３の処理に戻る。
【００４７】
（ステップＳ３１６）制御部１０１は、外出する際に必要な情報をユーザに通知する。
その後、処理を終了する。
【００４８】
なお、本図に示すフローチャートでは、電子装置１００は、スマートキー２００の近接を検出した後に、加速度の変動を検出しているが、これに限らず、加速度の変動を検出した後に、スマートキー２００の近接を検出するように、検出する順序を入れ替えてもよい。
【００４９】
このように、本実施形態によれば、電子装置１００の制御部１０１は、近距離無線通信部１１０がスマートキー２００の近接を検出し、かつ、照度センサ１０３が検出する照度が急激に低下した場合に、外出する際に必要な情報を音声出力部１０８から出力させる。
或いは、制御部１０１は、近距離無線通信部１１０がスマートキー２００の近接を検出し、かつ、加速度センサ１０９が検出する加速度に変動があった場合に、外出する際に必要な情報を音声出力部１０８から出力させる。これにより、電子装置１００は、予めスマートキー２００の入れられた鞄の中にユーザが電子装置１００を入れた場合に、外出する際に必要な情報を出力する。よって、電子装置１００は、外出する際に必要な情報を、ユーザが玄関に行く前にユーザに提示することができるため、ユーザの余計な移動が発生する可能性を低減することができる。
【００５０】
なお、制御部１０１は、近距離無線通信部１１０がスマートキー２００の近接を検出し、かつ、照度センサ１０３が検出する照度が急激に低下した場合に、ユーザが外出する（或いは、ユーザが外出する可能性がある）と判定してもよい。或いは、制御部１０１は、近距離無線通信部１１０がスマートキー２００の近接を検出し、かつ、加速度センサ１０９が検出する加速度に変動があった場合に、ユーザが外出する（或いは、ユーザが外出する可能性がある）と判定してもよい。そして、制御部１０１は、当該判定結果に基づいて、ユーザが外出する際に必要な情報を音声出力部１０８から出力させてもよい。
【００５１】
（第４の実施形態）
次に、本発明の第４の実施形態について説明する。
本実施形態における電子装置１００の構成は、第１の実施形態における構成と同様であるため、その説明を省略する。
【００５２】
図１０は、第４の実施形態に係る電子装置１００における通知方法を説明するための概略図である。本実施形態における電子装置１００は、部屋にある特定の家電製品３００がＯＮ（電源がオンの状態）からＯＦＦ（電源がオフの状態）に変化するとともに部屋の照明が消された場合に、ユーザが外出する（或いは、外出する可能性がある）と推定されるので、外出する際に必要な情報をユーザに通知する。家電製品３００は、テレビジョンや空気調節装置などの、ユーザが部屋にいる際にはＯＮになっていて、ユーザが部屋を長時間離れるときにはＯＦＦになる家電製品である。家電製品３００は、外部のサーバ装置と通信可能であり、ＯＮまたはＯＦＦの状態をサーバ装置に通知している。電子装置１００の制御部１０１（取得部）は、無線通信部１０４を介してサーバ装置と通信して、家電製品３００のＯＮまたはＯＦＦの状態（ＯＮからＯＦＦへの変化）を取得する。制御部１０１は、家電製品のＯＮからＯＦＦへの変化を取得し、かつ、照度センサ１０３が検出する照度が急激に低下した場合に、外出する際に必要な情報をユーザに通知する。ここで、制御部１０１及び無線通信部１０４と照度センサ１０３とが、環境条件（家電製品３００のＯＮまたはＯＦＦの状態または照度）を検出する環境条件検出部を構成する。
【００５３】
図１１は、第４の実施形態に係る電子装置１００の通知処理の一例を示すフローチャートである。ステップＳ４０１からステップＳ４０４までの処理は、上述したステップＳ１０１からステップＳ１０４までの処理と同様であるため、その説明を省略する。
【００５４】
（ステップＳ４０５）制御部１０１は、変数ｉに１を代入する。その後、ステップＳ４０６の処理に進む。
（ステップＳ４０６）制御部１０１は、ｉがｎであるか否かを判定する。ｎは任意の正の整数である。ｉがｎであると制御部１０１が判定した場合には、ステップＳ４０３の処理に戻る。また、ｉがｎでないと制御部１０１が判定した場合には、ステップＳ４０７の処理に進む。すなわち、制御部１０１は、ｉがｎになるまでステップＳ４０７からステップＳ４０８までの処理を繰り返す。
【００５５】
（ステップＳ４０７）制御部１０１は、特定の家電製品３００がＯＮからＯＦＦになったか否かを判定する。家電製品３００がＯＮからＯＦＦになったと制御部１０１が判定した場合には、ステップＳ４０９の処理に進む。また、家電製品３００がＯＮからＯＦＦになっていないと制御部１０１が判定した場合には、ステップＳ４０８の処理に進む。
（ステップＳ４０８）制御部１０１は、ｉに１を加算する。その後、ステップＳ４０６の処理に戻る。
【００５６】
（ステップＳ４０９）制御部１０１は、外出する際に必要な情報をユーザに通知する。
その後、処理を終了する。
【００５７】
なお、本図に示すフローチャートでは、電子装置１００は、照度の急激な変化を検出した後に、家電製品３００のＯＮからＯＦＦへの変化を検出しているが、これに限らず、家電製品３００のＯＮからＯＦＦへの変化を検出した後に、照度の急激な変化を検出するように、検出する順序を入れ替えてもよい。
【００５８】
電子装置１００は、ステップＳ４０７からステップＳ４０８までの処理をｎ回ループさせているため、ユーザが照明を消してから、一定時間経過後に家電製品３００をＯＦＦにして外出する場合であっても、外出する際に必要な情報をユーザに通知することができる。また、電子装置１００は、照度の急激な低下を検出しているため、電子装置１００をポケットや鞄に入れてから家電製品３００をＯＦＦにして外出する場合であっても、外出する際に必要な情報をユーザに通知することができる。
【００５９】
また、本実施形態では、制御部１０１は、家電製品３００のＯＮからＯＦＦへの変化を取得し、かつ、照度センサ１０３が検出する照度が急激に低下した場合に、外出する際に必要な情報をユーザに通知しているが、家電製品３００のＯＮからＯＦＦへの変化を取得し、かつ、加速度センサ１０９が検出する加速度に変動があった場合に、外出する際に必要な情報をユーザに通知してもよい。この場合、部屋にある特定の家電製品３００がＯＮからＯＦＦになるとともに、電子装置１００をユーザが持ったと推定することができる。
ここで、制御部１０１及び無線通信部１０４と加速度センサ１０９とが、環境条件（家電製品３００のＯＮまたはＯＦＦの状態または加速度）を検出する環境条件検出部を構成する。
【００６０】
図１２は、第４の実施形態に係る電子装置１００の通知処理の一例を示すフローチャートである。本図には、家電製品３００のＯＮからＯＦＦへの変化を取得し、かつ、加速度に変動があったときに、外出する際に必要な情報をユーザに通知する場合の処理を示す。
【００６１】
（ステップＳ４１１）制御部１０１は、特定の家電製品３００がＯＮからＯＦＦになったことを検知する。その後、ステップＳ４１２の処理に進む。
（ステップＳ４１２）制御部１０１は、変数ｉに１を代入する。その後、ステップＳ４１３の処理に進む。
（ステップＳ４１３）制御部１０１は、ｉがｎであるか否かを判定する。ｎは任意の正の整数である。ｉがｎであると制御部１０１が判定した場合には、処理を終了する。また、ｉがｎでないと制御部１０１が判定した場合には、ステップＳ４１４の処理に進む。すなわち、制御部１０１は、ｉがｎになるまでステップＳ４１４からステップＳ４１５までの処理を繰り返す。
【００６２】
（ステップＳ４１４）制御部１０１は、加速度センサ１０９が検出する加速度の値に変動があるか否かを判定する。加速度に変動があると制御部１０１が判定した場合には、ステップＳ４１６の処理に進む。また、加速度に変動がないと制御部１０１が判定した場合には、ステップＳ４１５の処理に進む。
（ステップＳ４１５）制御部１０１は、ｉに１を加算する。その後、ステップＳ４１３の処理に戻る。
【００６３】
（ステップＳ４１６）制御部１０１は、外出する際に必要な情報をユーザに通知する。
その後、処理を終了する。
【００６４】
なお、本図に示すフローチャートでは、電子装置１００は、家電製品３００のＯＮからＯＦＦへの変化を検出した後に、加速度の変動を検出しているが、これに限らず、加速度の変動を検出した後に、家電製品３００のＯＮからＯＦＦへの変化を検出するように、検出する順序を入れ替えてもよい。
【００６５】
また、電子装置１００は、日々の行動履歴から、特定の家電製品３００を自動選択し、選択した家電製品３００がＯＮからＯＦＦになった場合に、外出する際に必要な情報をユーザに通知してもよい。
【００６６】
このように、本実施形態によれば、電子装置１００の制御部１０１は、家電製品３００のＯＮからＯＦＦへの変化を取得し、かつ、照度センサ１０３が検出する照度が急激に低下した場合に、外出する際に必要な情報を音声出力部１０８から出力させる。或いは、制御部１０１は、家電製品３００のＯＮからＯＦＦへの変化を取得し、かつ、加速度センサ１０９が検出する加速度に変動があった場合に、外出する際に必要な情報を音声出力部１０８から出力させる。これにより、電子装置１００は、家電製品３００がＯＮからＯＦＦになり、部屋の照明が消された場合に、外出する際に必要な情報を出力する。或いは、電子装置１００は、家電製品３００がＯＮからＯＦＦになり、ユーザが電子装置１００を持った場合に、外出する際に必要な情報を出力する。よって、電子装置１００は、外出する際に必要な情報を、ユーザが玄関に行く前にユーザに提示することができるため、ユーザの余計な移動が発生する可能性を低減することができる。
【００６７】
なお、制御部１０１は、家電製品３００のＯＮからＯＦＦへの変化を取得し、かつ、照度センサ１０３が検出する照度が急激に低下した場合に、ユーザが外出する（或いは、ユーザが外出する可能性がある）と判定してもよい。或いは、制御部１０１は、家電製品３００のＯＮからＯＦＦへの変化を取得し、かつ、加速度センサ１０９が検出する加速度に変動があった場合に、ユーザが外出する（或いは、ユーザが外出する可能性がある）と判定してもよい。そして、制御部１０１は、当該判定結果に基づいて、ユーザが外出する際に必要な情報を音声出力部１０８から出力させてもよい。
【００６８】
（第５の実施形態）
次に、本発明の第５の実施形態について説明する。
本実施形態における電子装置１００の構成は、第１の実施形態における構成と同様であるため、その説明を省略する。
【００６９】
図１３は、第５の実施形態に係る電子装置１００における通知方法を説明するための概略図である。本実施形態における電子装置１００は、ユーザが電子装置１００をポケットや鞄などに入れた後に、「いってきます」「じゃあね」などの外出を想起させる言葉を発した場合に、ユーザが外出する（或いは、外出する可能性がある）と推定されるので、外出する際に必要な情報をユーザに通知する。電子装置１００の制御部１０１（音声認識部）は、音声入力部１１１が入力した音声を音声認識する。そして、制御部１０１は、外出を想起させる言葉を音声認識した場合に、ユーザが外出を想起させる言葉を発したと判定する。制御部１０１は、外出を想起させる言葉を認識し、かつ、照度センサ１０３が検出する照度が急激に低下した場合に、外出する際に必要な情報をユーザに通知する。ここで、音声入力部１１１及び照度センサ１０３が、環境条件（音声または照度）を検出する環境条件検出部を構成する。
【００７０】
図１４は、第５の実施形態に係る電子装置１００の通知処理の一例を示すフローチャートである。本図には、ユーザが電子装置１００をポケットや鞄などに入れてから、外出を想起させる言葉を発する場合の処理を示す。ステップＳ５０１からステップＳ５０４までの処理は、上述したステップＳ１０１からステップＳ１０４までの処理と同様であるため、その説明を省略する。
【００７１】
（ステップＳ５０５）制御部１０１は、変数ｉに１を代入する。その後、ステップＳ５０６の処理に進む。
（ステップＳ５０６）制御部１０１は、ｉがｎであるか否かを判定する。ｎは任意の正の整数である。ｉがｎであると制御部１０１が判定した場合には、ステップＳ５０３の処理に戻る。また、ｉがｎでないと制御部１０１が判定した場合には、ステップＳ５０７の処理に進む。すなわち、制御部１０１は、ｉがｎになるまでステップＳ５０７からステップＳ５０８までの処理を繰り返す。
【００７２】
（ステップＳ５０７）制御部１０１は、外出を想起させる発話を検出したか否かを判定する。制御部１０１は、音声入力部１１１に外出を想起させる言葉が入力された場合に、外出を想起させる発話を検出したと判定する。外出を想起させる発話を検出したと制御部１０１が判定した場合には、ステップＳ５０９の処理に進む。また、外出を想起させる発話を検出していないと制御部１０１が判定した場合には、ステップＳ５０８の処理に進む。
（ステップＳ５０８）制御部１０１は、ｉに１を加算する。その後、ステップＳ５０６の処理に戻る。
【００７３】
（ステップＳ５０９）制御部１０１は、外出する際に必要な情報をユーザに通知する。
その後、処理を終了する。
【００７４】
電子装置１００は、ステップＳ５０７からステップＳ５０８までの処理をｎ回ループさせているため、ユーザが電子装置１００をポケットに入れた後、一定時間経過後に外出を想起させる言葉を発して外出する場合であっても、外出する際に必要な情報をユーザに通知することができる。
【００７５】
なお、本実施形態では、制御部１０１は、外出を想起させる言葉を認識し、かつ、照度センサ１０３が検出する照度が急激に低下した場合に、外出する際に必要な情報をユーザに通知しているが、外出を想起させる言葉を認識し、かつ、加速度センサ１０９が検出する加速度に変動があった場合に、外出する際に必要な情報をユーザに通知してもよい。ここで、音声入力部１１１及び加速度センサ１０９が、環境条件（音声または加速度）を検出する環境条件検出部を構成する。
【００７６】
図１５は、第５の実施形態に係る電子装置１００の通知処理の一例を示すフローチャートである。本図には、外出を想起させる言葉を認識し、かつ、加速度に変動があったときに、外出する際に必要な情報をユーザに通知する場合の処理を示す。
【００７７】
（ステップＳ５１１）制御部１０１は、加速度センサ１０９による加速度の検出を開始する。その後、ステップＳ５１２の処理に進む。
（ステップＳ５１２）制御部１０１は、加速度センサ１０９の検出する加速度に変動があるか否かを判定する。加速度に変動があると制御部１０１が判定した場合には、ステップＳ５１５の処理に進む。また、加速度に変動がないと制御部１０１が判定した場合には、ステップＳ５１３の処理に進む。
【００７８】
（ステップＳ５１３）制御部１０１は、加速度センサ１０９による加速度の検出を停止する。その後、ステップＳ５１４の処理に進む。
（ステップＳ５１４）制御部１０１は、一定時間待機する。その後、ステップＳ５１１の処理に戻る。
【００７９】
ステップＳ５１５からステップＳ５１９までの処理は、上述したステップＳ５０５からステップＳ５０９までの処理と同様であるため、その説明を省略する。
【００８０】
図１６は、第５の実施形態に係る電子装置１００の通知処理の一例を示すフローチャートである。本図には、ユーザが外出を想起させる言葉を発してから、電子装置１００をポケットや鞄などに入れる場合の処理を示す。
【００８１】
（ステップＳ６０１）制御部１０１は、音声入力部１１１から入力される音声の音声認識を開始する。その後、ステップＳ６０２の処理に進む。
（ステップＳ６０２）制御部１０１は、外出を想起させる発話を検出したか否かを判定する。外出を想起させる発話を検出したと制御部１０１が判定した場合には、ステップＳ６０５の処理に進む。また、外出を想起させる発話を検出していないと制御部１０１が判定した場合には、ステップＳ６０３の処理に進む。
【００８２】
（ステップＳ６０３）制御部１０１は、音声認識を停止する。その後、ステップＳ６０４の処理に進む。
（ステップＳ６０４）制御部１０１は、一定時間待機する。その後、ステップＳ６０１の処理に戻る。
【００８３】
（ステップＳ６０５）制御部１０１は、変数ｉに１を代入する。その後、ステップＳ６０６の処理に進む。
（ステップＳ６０６）制御部１０１は、ｉがｎであるか否かを判定する。ｎは任意の正の整数である。ｉがｎであると制御部１０１が判定した場合には、ステップＳ６０３の処理に戻る。また、ｉがｎでないと制御部１０１が判定した場合には、ステップＳ６０７の処理に進む。すなわち、制御部１０１は、ｉがｎになるまでステップＳ６０７からステップＳ６０８までの処理を繰り返す。
【００８４】
（ステップＳ６０７）制御部１０１は、照度センサ１０３の検出する照度の値が急激に低下したか否かを判定する。照度が急激に低下したと制御部１０１が判定した場合には、ステップＳ６０９の処理に進む。また、照度が急激に低下していないと制御部１０１が判定した場合には、ステップＳ６０８の処理に進む。
（ステップＳ６０８）制御部１０１は、ｉに１を加算する。その後、ステップＳ６０６の処理に戻る。
【００８５】
（ステップＳ６０９）制御部１０１は、外出する際に必要な情報をユーザに通知する。
その後、処理を終了する。
【００８６】
電子装置１００は、ステップＳ６０７からステップＳ６０８までの処理をｎ回ループさせているため、ユーザが外出を想起させる言葉を発した後、一定時間経過後に電子装置１００をポケットに入れて外出する場合であっても、外出する際に必要な情報をユーザに通知することができる。
【００８７】
図１７は、第５の実施形態に係る電子装置１００の通知処理の一例を示すフローチャートである。本図には、ユーザが外出を想起させる言葉を発してから、電子装置１００をポケットや鞄などに入れる場合の処理であって、外出を想起させる言葉を認識し、かつ、加速度に変動があったときに、外出する際に必要な情報をユーザに通知する場合の処理を示す。ステップＳ６１１からステップＳ６１４までの処理は、上述したステップＳ６０１からステップＳ６０４までの処理と同様であるため、その説明を省略する。
【００８８】
（ステップＳ６１５）制御部１０１は、変数ｉに１を代入する。その後、ステップＳ６１６の処理に進む。
（ステップＳ６１６）制御部１０１は、ｉがｎであるか否かを判定する。ｎは任意の正の整数である。ｉがｎであると制御部１０１が判定した場合には、Ｓ６１３の処理に戻る。また、ｉがｎでないと制御部１０１が判定した場合には、ステップＳＳ６１７の処理に進む。すなわち、制御部１０１は、ｉがｎになるまでステップＳ６１７からステップＳ６１８までの処理を繰り返す。
【００８９】
（ステップＳ６１７）制御部１０１は、加速度センサ１０９が検出する加速度に変動があるか否かを判定する。加速度に変動があると制御部１０１が判定した場合には、ステップＳ６１９の処理に進む。また、加速度に変動がないと制御部１０１が判定した場合には、ステップＳ６１８の処理に進む。
（ステップＳ６１８）制御部１０１は、ｉに１を加算する。その後、ステップＳ６１６の処理に戻る。
【００９０】
（ステップＳ６１９）制御部１０１は、外出する際に必要な情報をユーザに通知する。
その後、処理を終了する。
【００９１】
また、本実施形態では、外出を想起させる発話について、「いってきます」という言葉を例にして説明したが、これに限らず、電子装置１００は、過去の行動履歴において、過去に外出した時の、外出する前の音声を記録しておき、それと似た音声を検出したら、外出する際に必要な情報を通知してもよい。例えば、電子装置１００は、出かける前に母が「もう行く時間だよ」といった場合などに外出する際に必要な情報を通知する。また、外出を想起させる発話は、音声に限らず、音でも良い。例えば、電子装置１００は、朝のニュース番組の占いが終わったら出かける、という場合であれば、占いが始まった音を検知して、外出する際に必要な情報を通知する。また、電子装置１００は、出かける直前に必ず歯磨きをしている場合であれば、歯磨きのシャカシャカという音を検知して、外出する際に必要な情報を通知する。
【００９２】
このように、本実施形態によれば、電子装置１００の制御部１０１は、外出を想起させる言葉を音声認識し、かつ、照度センサ１０３が検出する照度が急激に低下した場合に、外出する際に必要な情報を音声出力部１０８から出力させる。或いは、制御部１０１は、外出を想起させる言葉を音声認識し、かつ、加速度センサ１０９が検出する加速度に変動があった場合に、外出する際に必要な情報を音声出力部１０８から出力させる。これにより、電子装置１００は、ユーザが外出を想起させる言葉を発し、電子装置１００をポケットや鞄に入れた場合に、外出する際に必要な情報を出力する。よって、電子装置１００は、外出する際に必要な情報を、ユーザが玄関に行く前にユーザに提示することができるため、ユーザの余計な移動が発生する可能性を低減することができる。
【００９３】
なお、制御部１０１は、外出を想起させる言葉を音声認識し、かつ、照度センサ１０３が検出する照度が急激に低下した場合に、ユーザが外出する（或いは、ユーザが外出する可能性がある）と判定してもよい。或いは、制御部１０１は、外出を想起させる言葉を音声認識し、かつ、加速度センサ１０９が検出する加速度に変動があった場合に、ユーザが外出する（或いは、ユーザが外出する可能性がある）と判定してもよい。そして、制御部１０１は、当該判定結果に基づいて、ユーザが外出する際に必要な情報を音声出力部１０８から出力させてもよい。
【００９４】
（第６の実施形態）
次に、本発明の第６の実施形態について説明する。
本実施形態における電子装置１００の構成は、第１の実施形態における構成と同様であるため、その説明を省略する。
【００９５】
図１８は、第６の実施形態に係る電子装置１００における通知方法を説明するための概略図である。本実施形態における電子装置１００は、ユーザが電子装置１００を持ってポケットや鞄などに入れた場合に、ユーザが外出する（或いは、外出する可能性がある）と推定されるので、外出する際に必要な情報をユーザに通知する。電子装置１００の制御部１０１は、手で握られたことをグリップセンサ１１２が検知した場合に、ユーザが電子装置１００を持ったと判定する。制御部１０１は、手で握られたことをグリップセンサ１１２が検知し、かつ、照度センサ１０３が検出する照度が急激に低下した場合に、電子装置１００がポケットや鞄に入れられたと判定し、外出する際に必要な情報をユーザに通知する。ここで、照度センサ１０３及びグリップセンサ１１２が、環境条件（照度または筐体が握られたこと）を検出する環境条件検出部を構成する。
【００９６】
図１９は、第６の実施形態に係る電子装置１００の通知処理の一例を示すフローチャートである。
【００９７】
（ステップＳ７０１）制御部１０１は、グリップセンサ１１２による検出を開始する。
その後、ステップＳ７０２の処理に進む。
（ステップＳ７０２）制御部１０１は、ユーザが電子装置１００を持ったか否かを判定する。電子装置１００を持ったと制御部１０１が判定した場合には、ステップＳ７０５の処理に進む。また、電子装置１００を持っていないと制御部１０１が判定した場合には、ステップＳ７０３の処理に進む。
【００９８】
（ステップＳ７０３）制御部１０１は、グリップセンサ１１２による検出を停止する。
その後、ステップＳ７０４の処理に進む。
（ステップＳ７０４）制御部１０１は、一定時間待機する。その後、ステップＳ７０１の処理に戻る。
【００９９】
（ステップＳ７０５）制御部１０１は、変数ｉに１を代入する。その後、ステップＳ７０６の処理に進む。
（ステップＳ７０６）制御部１０１は、ｉがｎであるか否かを判定する。ｎは任意の正の整数である。ｉがｎであると制御部１０１が判定した場合には、ステップＳ７０３の処理に戻る。また、ｉがｎでないと制御部１０１が判定した場合には、ステップＳ７０７の処理に進む。すなわち、制御部１０１は、ｉがｎになるまでステップＳ７０７からステップＳ７０８までの処理を繰り返す。
【０１００】
（ステップＳ７０７）制御部１０１は、照度センサ１０３の検出する照度の値が急激に低下したか否かを判定する。照度が急激に低下したと制御部１０１が判定した場合には、ステップＳ７０９の処理に進む。また、照度が急激に低下していないと制御部１０１が判定した場合には、ステップＳ７０８の処理に進む。
（ステップＳ７０８）制御部１０１は、ｉに１を加算する。その後、ステップＳ７０６の処理に戻る。
【０１０１】
（ステップＳ７０９）制御部１０１は、外出する際に必要な情報をユーザに通知する。
その後、処理を終了する。
【０１０２】
なお、本図に示すフローチャートでは、電子装置１００は、グリップセンサ１１２が握られたことを検出した後に、照度の急激な変化を検出しているが、これに限らず、照度の急激な変化を検出した後に、グリップセンサ１１２が握られたことを検出するように、検出する順序を入れ替えてもよい。
【０１０３】
電子装置１００は、ステップＳ７０７からステップＳ７０８までの処理をｎ回ループさせているため、ユーザが電子装置１００を握ってから、一定時間経過後に電子装置１００をポケットや鞄に入れて外出する場合であっても、外出する際に必要な情報をユーザに通知することができる。
【０１０４】
このように、本実施形態によれば、電子装置１００の制御部１０１は、グリップセンサ１１２が握られたことを検知し、かつ、照度センサ１０３が検出する照度が急激に低下した場合に、外出する際に必要な情報を音声出力部１０８から出力させる。これにより、電子装置１００は、ユーザが電子装置１００を持ってポケットや鞄に入れた場合に、外出する際に必要な情報を出力する。よって、電子装置１００は、外出する際に必要な情報を、ユーザが玄関に行く前にユーザに提示することができるため、ユーザの余計な移動が発生する可能性を低減することができる。
【０１０５】
なお、制御部１０１は、グリップセンサ１１２が握られたことを検知し、かつ、照度センサ１０３が検出する照度が急激に低下した場合に、ユーザが外出する（或いは、ユーザが外出する可能性がある）と判定してもよい。そして、制御部１０１は、当該判定結果に基づいて、ユーザが外出する際に必要な情報を音声出力部１０８から出力させてもよい。
【０１０６】
なお、上述した実施形態における電子装置１００の一部、例えば、制御部１０１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子装置１００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１０８】
例えば、上述した実施形態では、電子装置１００をスマートフォンやタブレット端末としたが、これに限らず、電子装置１００は、例えば、ロボット型端末や眼鏡型端末であってもよい。例えば、ロボット型端末は、音声認識や音声での通知に適している。また、眼鏡型端末は、目線と同等にあるカメラで撮像された画像を解析する画像認識技術を組み合わせることにより、部屋を出る前にドアの形状を認識し、外出の検知が可能である。
【０１０９】
また、上述した実施形態では、電子装置１００が戸締りの通知をする場合を例に説明したが、外出する際に必要な情報はこれに限らず、例えば、ネットワークから取得する情報や、サーバ装置で管理している情報であってもよい。
【０１１０】
例えば、外出する際に必要な情報は、防犯／防災の通知として、窓の閉め忘れや、ガスの止め忘れや、ストーブの止め忘れや、外出する際に消している電化製品の消し忘れなどであってもよい。例えば、電子装置１００は、窓の開閉検知や、ガスまたは電気のＯＮ／ＯＦＦ検知がサーバ装置で管理されている場合には、サーバ装置から取得した情報から、忘れている箇所のみ通知してもよい。
【０１１１】
また、外出する際に必要な情報は、外の状況の通知として、天気予報や、渋滞情報や、路線運航状況や、外出先の混雑状況などであってもよい。例えば、電子装置１００は、夏の快晴であれば「日焼止め塗ったほうが良い」、大雨であれば「傘が必要です」、夜に雨降る場合には「折畳み傘持って行ってね」、など、予報だけでなく、天気予報士が言うような注意も促す形で通知してもよい。また、電子装置１００は、渋滞または運行遅延があれば、迂回ルートを通知してもよい。
【０１１２】
また、外出する際に必要な情報は、ｔｏ  ｄｏリストとして、外出先や外出途中で済まさなければいけない用事などであってもよい。電子装置１００は、予め自装置もしくはサーバ装置に登録されたｔｏ  ｄｏリストから、今日の外出でやらなければいけない事柄をピックアップして通知する。例えば、電子装置１００は、郵便物を出す(「手紙持って行ってね」など)、消耗品の買出し(「帰りに牛乳買ってきてね」など)、などを通知する。
【０１１３】
また、上述した実施形態では、電子装置１００は、照明が消された場合に外出する際に必要な情報を出力しているが、照明を消す動作は外出する時だけに限らない。このため、時間や、スケジュールまたは行動履歴との連動で、照度低下を検知した際に、「外出する」と誤認識しない仕組みも入れてもよい。例えば、電子装置１００は、ユーザが常識的な生活リズムを送っている人である場合には、夜１１時に照明を消して、照度が低下したときには、「就寝」と判定し、就寝前に必要な情報（例えば、「明日の準備はしたか？」など）を通知する。また、例えば、電子装置１００は、部屋が複数あって、ユーザが日曜日の午前中は趣味の時間として別の部屋でギターを弾く人だった場合には、日曜日の午前中に、居た部屋の照明を消して、照度が低下したときには、「部屋の移動」と判定し、何も通知しない。
【０１１４】
（１）環境条件を検出する環境条件検出部と、情報を出力する出力部と、環境条件検出部が検出する環境条件に基づいてユーザが外出するか否かを判定し、判定した結果に基づいて、外出する際に必要な情報を出力部から出力させる制御部と、を備える電子装置。
【０１１５】
（２）環境条件検出部は、周囲の照度を検出する照度センサであり、制御部は、照度センサが検出する照度が所定の時間内に所定の閾値以上低下した場合に、外出する際に必要な情報を出力部から出力させる（１）に記載の電子装置。
【０１１６】
（３）環境条件検出部は、加速度を検出する加速度センサであり、制御部は、加速度センサが検出する加速度に変動がある場合に、外出する際に必要な情報を出力部から出力させる（１）または（２）に記載の電子装置。
【０１１７】
（４）スマートキーの近接を検出する検出部を備え、制御部は、検出部がスマートキーの近接を検出した場合に、外出する際に必要な情報を出力部から出力させる（１）から（３）いずれか１項に記載の電子装置。
【０１１８】
（５）家電製品の電源がオンの状態から電源がオフの状態への変化を取得する取得部を備え、制御部は、取得部が家電製品の電源がオンの状態から電源がオフの状態への変化を取得した場合に、外出する際に必要な情報を出力部から出力させる（１）から（４）いずれか１項に記載の電子装置。
【０１１９】
（６）音声を入力する音声入力部と、音声入力部が入力した音声を認識する音声認識部と、を備え、制御部は、音声認識部が外出を想起させる言葉を認識した場合に、外出する際に必要な情報を出力部から出力させる（１）から（５）いずれか１項に記載の電子装置。
【０１２０】
（７）筐体が握られたことを検知するグリップセンサを備え、制御部は、グリップセンサが握られたことを検知した場合に、外出する際に必要な情報を出力部から出力させる（１）から（６）いずれか１項に記載の電子装置。
【０１２１】
（８）環境条件を検出する環境条件検出部と、情報を出力する出力部とを備える電子装置のコンピュータに、環境条件を検出する環境条件検出ステップと、検出した環境条件に基づいて、ユーザが外出するか否かを判定する判定ステップと、判定した結果に基づいて、外出する際に必要な情報を出力部から出力させる出力ステップと、を実行させるためのプログラム。
【産業上の利用可能性】
【０１２２】
本発明のいくつかの態様は、外出する際に必要な情報を、ユーザが玄関に行く前にユーザに提示することが必要な電子装置及びプログラムなどに適用することができる。
【符号の説明】
【０１２３】
１００・・・電子装置、１０１・・・制御部、１０２・・・カメラ、１０３・・・照度センサ、１０４・・無線通信部、１０５・・・入力部、１０６・・・表示部、１０７・・・記憶部、１０８・・・音声出力部、１０９・・・加速度センサ、１１０・・・近距離無線通信部、１１１・・・音声入力部、１１２・・・グリップセンサ
【図１】
0006621118.tif 000002
【図２】
0006621118.tif 000003
【図３】
0006621118.tif 000004
【図４】
0006621118.tif 000005
【図５】
0006621118.tif 000006
【図６】
0006621118.tif 000007
【図７】
0006621118.tif 000008
【図８】
0006621118.tif 000009
【図９】
0006621118.tif 000010
【図１０】
0006621118.tif 000011
【図１１】
0006621118.tif 000012
【図１２】
0006621118.tif 000013
【図１３】
0006621118.tif 000014
【図１４】
0006621118.tif 000015
【図１５】
0006621118.tif 000016
【図１６】
0006621118.tif 000017
【図１７】
0006621118.tif 000018
【図１８】
0006621118.tif 000019
【図１９】
0006621118.tif 000020